(57)【要約】  それぞれの構築ライン（１０、１３）に沿って製造されたカーカススリーブ（１２）および外側スリーブ（１５）は、組立ステーション（１６）において相互に結合される。外側スリーブ（１５）を担持した補助ドラム（１４）およびカーカススリーブ（１２）を担持した構築ドラム（１１）に選択的に連結できる係合装置（３１）が、組立ステーション（１６）に組み込まれる。構築ドラム１１は、補助ドラム（１４）を取り出す前に組立ステーション（１６）に係合される。把持ユニット（３６）は、係合装置（３１）に連結された補助ドラム（１４）から外側スリーブ（１５）を取り出して、その外側スリーブを、構築ドラム（１１）に担持されたカーカススリーブ（１２）のまわりに配置する。【選択図】      図５
2011518058.tif 000002
【特許請求の範囲】
【請求項１】
タイヤを組み立てる方法であって、
−構築ドラム（１１）上にカーカススリーブ（１２）を形成するステップであって、前記カーカススリーブ（１２）は、少なくとも１つのカーカスプライ（３）および一対の環状固定構造体（５）を含むステップと、
−補助ドラム（１４）上に外側スリーブ（１５）を形成するステップであって、前記外側スリーブ（１５）は、少なくとも１つのベルト層（７ａ）およびトレッドバンド（８）を含むステップと、
−前記補助ドラム（１４）を組立ステーション（１６）に係合させるステップと、
−前記補助ドラム（１４）から前記外側スリーブ（１５）を取り出すステップと、
−前記構築ドラム（１１）を前記組立ステーション（１６）に係合させるステップと、
−前記構築ドラム（１１）上に形成された前記カーカススリーブ（１２）に対して半径方向外側の位置に前記外側スリーブ（１５）を配置するステップと、
−前記カーカススリーブ（１２）を前記外側スリーブ（１５）に結合するステップと、
−組み立てたタイヤ（２）を前記組立ステーション（１６）から取り出すステップと、
を含む方法。
【請求項２】
前記構築ドラム（１１）は、前記補助ドラム（１４）を前記組立ステーション（１６）から取り出す前に前記組立ステーション（１６）に係合される、請求項１に記載の方法。
【請求項３】
前記組み立てたタイヤ（２）を前記組立ステーション（１６）から取り出すことには、
−取り出し運搬装置（６３）を前記タイヤ（２）の外側面に係合させるステップと、 
−前記タイヤ（２）を前記構築ドラム（１１）から軸方向に取り出すために、前記取り出し運搬装置（６３）を移動させるステップと、
−前記タイヤ（２）を前記組立ステーション（１６）から遠ざけるために、前記取り出し運搬装置（６３）を移動させるステップと、
が含まれる、請求項１または請求項２に記載の方法。
【請求項４】
前記組立ステーション（１６）での前記構築ドラム（１１）の係合は、前記構築ドラム（１１）自体の軸方向両端部に作用する心棒（３１ａ）と心押し台（３１ｂ）との間で行われる、請求項１〜３のいずれか一項に記載の方法。
【請求項５】
前記構築ドラム（１１）を係合させることには、
−前記構築ドラム（１１）を、相互に離間した心棒（３１ａ）と心押し台（３１ｂ）との間に軸方向に整列させて配置するステップと、
−前記構築ドラム（１１）を前記心棒（３１ａ）に係合させるステップと、
−前記心棒（３１ａ）と心押し台（３１ｂ）との間で前記構築ドラム（１１）を係合させるために、前記心押し台（３１ｂ）を前記心棒（３１ａ）の近くに軸方向に移動させるステップと、
が含まれる、請求項１〜４のいずれか一項に記載の方法。
【請求項６】
前記組立ステーション（１６）で前記補助ドラム（１４）を係合させることには、
−前記補助ドラム（１４）を、相互に離間した心棒（３１ａ）と心押し台（３１ｂ）との間に軸方向に整列させて配置するステップと、
−前記補助ドラム（１４）を前記心押し台（３１ｂ）に係合させるステップと、
が含まれる、請求項１〜５のいずれか一項に記載の方法。
【請求項７】
前記補助ドラム（１４）の前記心押し台（３１ｂ）への係合は、前記補助ドラム（１４）を前記心押し台（３１ｂ）の近くに軸方向に移動させることで行われる、請求項６に記載の方法。
【請求項８】
前記補助ドラム（１４）を前記心押し台（３１ｂ）の近くに軸方向に移動させるときに、前記組立ステーション（１６）に担持され、前記補助ドラム（１４）から前記外側スリーブ（１５）を取り出すように設計された把持ユニット（３６）に、前記補助ドラム（１４）を軸方向に挿入する、請求項７に記載の方法。
【請求項９】
前記補助ドラム（１４）を前記相互に離間した心棒（３１ａ）と心押し台（３１ｂ）との間に軸方向に整列させて配置する前に、前記把持ユニット（３６）が軸方向に位置決めされて、前記補助ドラム（１４）と前記心押し台（３１ｂ）との連結が完了したときに、前記外側スリーブの中央軸に対して軸方向に中心を合わせた位置に配置されるようにする、請求項８に記載の方法。
【請求項１０】
前記心押し台（３１ｂ）は、前記心押し台（３１ｂ）に担持された少なくとも１つの駆動キー（３３）を角度的に位置決めするために、前記補助ドラム（１４）と係合する前に回転駆動される、請求項６〜９のいずれか一項に記載の方法。
【請求項１１】
前記結合ステップは、
−前記組立ステーション（１６）に担持された成形装置（４１）を前記構築ドラム（１１）に動作可能に連結することと、
−前記カーカススリーブを前記外側スリーブ（１５）に結合するために、前記カーカススリーブ（１２）をトロイダル形状に成形することと、
を含む、請求項１〜１０のいずれか一項に記載の方法。
【請求項１２】
前記外側スリーブ（１５）を前記補助ドラム（１４）から取り出すことには、
−前記補助ドラム（１４）に担持された前記外側スリーブ（１５）のまわりに前記把持ユニット（３６）が配置されるまで、前記組立ステーション（１６）に担持された把持ユニット（３６）を前記補助ドラム（１４）の幾何学的回転軸に対して平行に移動させるステップと、
−前記外側スリーブ（１５）を前記把持ユニット（３６）に係合させるステップと、
−前記補助ドラム（１４）を前記外側スリーブ（１５）から解放するために、前記補助ドラム（１４）を軸方向に移動させるステップと、
が含まれる、請求項１〜１１のいずれか一項に記載の方法。
【請求項１３】
前記外側スリーブ（１５）を前記補助ドラム（１４）から取り出した後、前記補助ドラム（１４）を移動させて、前記把持ユニット（３６）と軸方向に整列した状態でなくなるようにするステップをさらに含む、請求項１２に記載の方法。
【請求項１４】
前記外側スリーブ（１５）を前記カーカススリーブ（１２）に対して半径方向外側の位置に配置する前記ステップは、前記外側スリーブ（１５）が前記カーカススリーブ（１２）のまわりに配置されるまで、前記把持ユニット（３６）を前記構築ドラム（１１）の幾何学的回転軸に対して平行に移動させることで行われる、請求項８〜１３のいずれか一項に記載の方法。
【請求項１５】
前記構築ドラム（１１）を前記成形装置（４１）に動作可能に連結する前記ステップは、一対の保持部材（４３）を前記構築ドラム（１１）と係合させることを含み、各前記保持部材（４３）は、前記構築ドラム（１１）の１つの半体と軸方向に接近した関係にある、請求項１１〜１４のいずれか一項に記載の方法。
【請求項１６】
前記保持部材（４３）の少なくとも１つは、前記構築ドラム（１１）に担持された円周方向当接縁部（４４）に対接して作用する、請求項１５に記載の方法。
【請求項１７】
前記環状固定構造体（５）は、前記カーカススリーブ（１１）を前記外側スリーブ（１５）に結合するステップ中に、前記構築ドラム（１１）に対してロックされる、請求項１１〜１６のいずれか一項に記載の方法。
【請求項１８】
前記ロックされるステップと同時に、前記カーカススリーブ（１２）が、前記環状固定構造体（５）において密封される、請求項１７に記載の方法。
【請求項１９】
前記保持部材（４３）の少なくとも１つは、前記少なくとも１つの環状固定構造体（５）に押し当たった関係にされる、請求項１５〜１８のいずれか一項に記載の方法。
【請求項２０】
前記保持部材（４３）の少なくとも１つを前記構築ドラム（１１）と係合させることには、 
−前記保持部材（４３）のフランジ付き要素（４５）を前記構築ドラム（１１）に対して固定するステップと、
−前記保持部材（４３）の封止リング（４７）を前記円周方向当接縁部（４４）に押し付けるステップと、
が含まれる、請求項１５〜１９のいずれか一項に記載の方法。
【請求項２１】
前記フランジ付き要素（４５）の固定は、前記フランジ付き要素（４５）に担持され前記構築ドラム（１１）の中心シャフトに作用する油圧ブレーキ（５１）の加圧チャンバ（５２）内で動作するねじ付き部材（５４）のねじを緩めることによって行われる、請求項２０に記載の方法。
【請求項２２】
前記封止リング（４７）は、前記構築ドラム（１１）の幾何学軸に対して平行に移動可能な、円周方向に分散されたスライドシュー（６１）によって押される、請求項２０または請求項２１に記載の方法。
【請求項２３】
前記カーカススリーブ（１２）を前記外側スリーブ（１５）に結合する前記ステップの後、
−組み立てたタイヤ（２）から前記把持ユニット（３６）を切り離すステップと、
−前記構築ドラム（１１）を半径方向に縮小させるステップと、
−処理対象のタイヤ（２）を前記構築ドラム（１１）から解放するステップと、
が行われる、請求項１１〜２２のいずれか一項に記載の方法。
【請求項２４】
前記組立ステーション（１６）での前記構築ドラム（１１）の係合は、前記構築ドラムの軸方向両端部に作用する心棒（３１ａ）と心押し台（３１ｂ）との間で行われ、前記心押し台（３１ｂ）は、前記カーカススリーブ（１２）を前記外側スリーブ（１５）に結合するステップの後で行われる転圧ステップ時に、前記構築ドラム（１１）を回転駆動するために回転して調整される、請求項１１〜２３のいずれか一項に記載の方法。
【請求項２５】
前記カーカスプライ（１２）の少なくとも一部は、基本半仕上げ品を前記構築ドラム（１１）上に置くことによって作製される、請求項１〜２４のいずれか一項に記載の方法。
【請求項２６】
前記少なくとも１つのベルト層（７ａ）は、基本半仕上げ品を前記補助ドラム（１４）上に置くことによって作製される、請求項１〜２５のいずれか一項に記載の方法。
【請求項２７】
タイヤを組み立てる装置であって、
−ベルト構造体（７）およびトレッドバンド（８）を含む外側スリーブ（１５）を担持する補助ドラム（１４）と、少なくとも１つのカーカスプライ（３）および一対の環状固定構造体（５）を含むカーカススリーブ（１２）を担持する構築ドラム（１１）とに連結される係合装置（３１）と、
−前記補助ドラム（１４）を前記係合装置（３１）に連結するための第１の移送ユニット（２９）と、
−前記構築ドラム（１１）を前記係合装置（３１）に連結するための第２の移送ユニット（３９）と、
−前記係合装置（３１）に連結された前記補助ドラム（１４）から前記外側スリーブ（１５）を取り出し、当該外側スリーブを、前記係合装置（３１）に連結された前記構築ドラム（１１）に担持された前記カーカススリーブ（１２）に対して半径方向外側の位置に配置する把持ユニット（３６）と、
を含む装置。
【請求項２８】
前記係合装置（３１）は、相互の整列軸に沿って軸方向に対向して配置された心棒（３１ａ）および心押し台（３１ｂ）を含む、請求項２７に記載の装置。
【請求項２９】
前記心棒（３１ａ）および心押し台（３１ｂ）は、前記構築ドラム（１１）と前記補助ドラム（１４）の軸方向嵩高の合計より長い距離で前記心押し台（３１ｂ）および心棒（３１ａ）が相互に離間した、互いに離れた状態から出発して、相互の整列軸に沿って互いの近くに移動できる、請求項２８に記載の装置。
【請求項３０】
前記心棒（３１ａ）および心押し台（３１ｂ）は、前記心棒（３１ａ）が、前記第２の移送ユニット（３９）に担持された前記構築ドラム（１１）の一端と係合するのに適し、一方、前記心押し台（３１ｂ）が、前記第１の移送ユニット（２９）に担持された前記補助ドラム（１４）の一端に係合する、相互に離れた状態から出発して、前記相互の整列軸に沿って互いの近くに移動できる、請求項２８または請求項２９に記載の装置。
【請求項３１】
心押し台（３１ｂ）および心棒（３１ａ）が互いに離間した状態におけるそれらの間の軸方向距離は、前記心棒（３１ａ）に連結された前記構築ドラム（１１）が、前記心押し台（３１ｂ）に連結された前記補助ドラム（１４）から、前記補助ドラム（１４）の軸方向の嵩高よりも軸方向に長く離間するような距離とすることができる、請求項２９または請求項３０に記載の装置。
【請求項３２】
前記心棒（３１ａ）および心押し台（３１ｂ）は、前記相互に離れた状態と、心棒および心押し台が前記構築ドラム（１１）の両端に作用する相互に接近した状態との間を、相互移動可能である、請求項２９〜３１のいずれか一項に記載の装置。
【請求項３３】
処理対象のタイヤ（２）を構築ドラム（１１）から取り出し、当該タイヤを構築ドラムから遠ざける取り出し運搬装置（６３）をさらに含む、請求項２７〜３２のいずれか一項に記載の装置。
【請求項３４】
前記取り出し運搬装置（６３）は、前記タイヤ（２）を前記構築ドラム（１１）から軸方向に外すために、前記構築ドラム（１１）の幾何学的回転軸に対して平行に移動可能であり、また、前記タイヤ（２）を前記構築ドラム（１１）から遠ざけるために、前記幾何学的回転軸に対して半径方向に移動可能である、請求項３３に記載の装置。
【請求項３５】
前記心押し台（３１ｂ）は、前記補助ドラム（１４）および／または前記構築ドラム（１１）に担持された少なくとも１つの取り付け座部（３４）と動作可能に係合できる駆動キー（３３）を角度的に位置決めするために、モータによって回転駆動することができる、請求項２８〜３４のいずれか一項に記載の装置。
【請求項３６】
前記カーカススリーブ（１２）を半径方向に拡張させて、前記カーカススリーブ（１２）を前記把持ユニット（３６）に保持された前記外側スリーブ（１５）に結合するために、前記係合装置（３１）に連結された前記構築ドラム（１１）に動作可能に連結することができる成形装置（４１）をさらに含む、請求項２７〜３５のいずれか一項に記載の装置。
【請求項３７】
各前記構築ドラム（１１）および補助ドラム（１４）は、前記係合装置（３１）によって係合される少なくとも１つのグリップエンド（１７ｂ、２８ｂ）を担持する中心シャフト（１７、２８）を含む、請求項２７〜３６のいずれか一項に記載の装置。
【請求項３８】
前記構築ドラム（１１）および前記補助ドラム（１４）の前記グリップエンド（１７ｂ、２８ｂ）は、互いに同一になるように成形される、請求項３７に記載の装置。
【請求項３９】
前記把持ユニット（３６）は、
−前記係合装置（３１）上で前記構築ドラム（１１）および前記補助ドラム（１４）の幾何学的回転軸に対して平行に移動可能な環状構造体（３４）と、
−前記環状構造体（３４）に対して半径方向に移動可能な複数のプレート（３７）と、
を含む、請求項２７〜３８のいずれか一項に記載の装置。
【請求項４０】
前記成形装置（４１）は、
−前記構築ドラム（１１）上で動作して前記環状固定構造体（５）を軸方向に接近させるアクチュエータと、
−前記環状固定構造体（５）が相互接近する間に、前記カーカススリーブ（１２）に作動流体を供給する拡張部材と、
を含む、請求項３６〜３９のいずれか一項に記載の装置。
【請求項４１】
前記成形装置（４１）は、前記少なくとも１つのカーカスプライ（３）と係合している前記環状固定構造体（５）の１つにそれぞれ押し当たった関係で作用する保持部材（４３）を含む、請求項３６〜４０のいずれか一項に記載の装置。
【請求項４２】
各前記保持部材（４３）は、前記構築ドラム（１１）に担持された少なくとも１つの連結部材（４８）と動作可能に係合することができる、請求項４１に記載の装置。
【請求項４３】
各保持部材（４３）は、少なくとも１つのフランジ付き要素（４５）を含み、前記フランジ付き要素（４５）は、軸方向に接近した関係で前記構築ドラム（１１）に取り外し可能に固定され、前記それぞれの環状固定構造体（５）に対接して作用するように設計された少なくとも１つの封止リング（４７）を担持する、請求項４１または請求項４２に記載の装置。
【請求項４４】
前記フランジ付き要素（４５）は、前記保持部材（４３）を軸方向に移動させるために、少なくとも１つのアクチュエータにより移動可能な構造体（４６）によって回転可能に支持される、請求項４３に記載の装置。
【請求項４５】
各保持部材（４３）は、前記少なくとも１つの連結部材（４８）に動作可能に連結される固定装置（４９）を担持する、請求項４２〜４４のいずれか一項に記載の装置。
【請求項４６】
前記固定装置（４９）は、前記少なくとも１つの連結部材（４８）にスライド可能に係合する案内スリーブ（５０）に動作可能に取り付けられたブレーキ（５１）を含む、請求項４５に記載の装置。
【請求項４７】
前記ブレーキ（５１）は、
−前記案内スリーブ（５０）を通って密封係合し、加圧チャンバ（５２）内に配置された端部部分を有するねじ付き部材（５４）と、 
−前記ねじ付き部材（５４）を回転駆動する駆動装置（５５）と、
を含む、請求項４６に記載の装置。
【請求項４８】
各前記保持部材（４３）は、前記封止リング（４７）に作用して当該封止リングを前記それぞれの環状固定構造体（５）に向かって押し付ける押し付け装置（５６）をさらに含む、請求項４３〜４７のいずれか一項に記載の装置。
【請求項４９】
前記少なくとも１つの封止リング（４７）は、前記封止リング（４７）自体の半径方向外側の円錐台状の面（４７ａ）で、前記それぞれの環状固定構造体（５）に対接して作用する、請求項４３〜４８のいずれか一項に記載の装置。
【請求項５０】
前記少なくとも１つの封止リング（４７）は、前記押し付け装置（５６）の作動時に半径方向に拡張可能である、請求項４８または請求項４９に記載の装置。
【請求項５１】
前記押し付け装置（５６）は、流体作動式アクチュエータ（５９）の作動時に前記少なくとも１つの封止リング（４７）に向かって軸方向に移動可能な押し付けリング（５７）を含む、請求項４８〜５０のいずれか一項に記載の装置。
【請求項５２】
前記少なくとも１つの流体作動式アクチュエータ（５９）は、反対側円形面（５８ａ）に対接して動作し、前記少なくとも１つの押し付けリング（５７）に作用を及ぼす少なくとも１つのスライドシュー（６１）を含む、請求項５１に記載の装置。
【請求項５３】
各保持部材（４３）は、それぞれ同心で異なる直径を有する複数の封止リング（４７）を含む、請求項４１〜５２のいずれか一項に記載の装置。
【請求項５４】
前記反対側円形面（５８ａ）は、前記封止リング（４７）の１つにそれぞれ対応する複数の押し付けリング（５７）に同時に作用するコマンドリング（５８）によって担持される、請求項５３に記載の装置。
【請求項５５】
前記封止リング（４７）は、前記押し付けリング（５７）の円周方向縁部に対向する半径方向内側の円錐台状の面（４７ｂ）を有する、請求項５１〜５４のいずれか一項に記載の装置。
【請求項５６】
前記係合装置（３１）に係合する前記構築ドラム（１１）に対して半径方向に移動可能な転圧装置（６２）をさらに含む、請求項２７〜５５のいずれか一項に記載の装置。
【請求項５７】
前記係合装置（３１）、把持ユニット（３６）、ならびに第１の移送ユニット（２９）および第２の移送ユニット（３９）を補う組立ステーション（１６）を含む、請求項２７〜５６のいずれか一項に記載の装置。
【請求項５８】
前記係合装置（３１）、把持ユニット（３６）、第１の移送ユニット（２９）および第２の移送ユニット（３９）、ならびに成形装置（４１）を補う組立ステーション（１６）を含む、請求項３６〜５６のいずれか一項に記載の装置。
【請求項５９】
−前記構築ドラム（１１）上に少なくとも１つのカーカススリーブ（１２）を形成するカーカス構築ライン（１０）と、
−前記補助ドラム（１４）上に少なくとも１つの外側スリーブ（１５）を形成する外側スリーブ構築ライン（１３）と、
−各カーカススリーブ（１２）を各外側スリーブ（１５）に結合する組立ステーション（１６）と、
をさらに含み、
前記第１の移送ユニット（２９）は、前記補助ドラム（１４）を、少なくとも、前記外側スリーブ構築ライン（１３）内の加工ステーションから前記組立ステーション（１６）に運び、
前記第２の移送ユニット（３９）は、前記構築ドラム（１１）を、少なくとも、前記カーカス構築ライン（１０）内の加工ステーションから前記組立ステーション（１６）に運ぶ、請求項２７〜５６のいずれか一項に記載の装置。
【発明の詳細な説明】
【技術分野】
【０００１】
本発明は、タイヤを組み立てる方法および装置に関する。
【０００２】
より詳細には、本発明は、最終製品を得るために、次に加硫サイクルにかけられる未硬化タイヤの構築に使用される方法および装置に関する。
【背景技術】
【０００３】
車両ホイールのタイヤは通常、少なくとも１つのカーカスプライを含むカーカス構造体を備え、このカーカスプライは、それぞれの環状固定構造体と係合する、それぞれ反対側の端部フラップを有し、環状固定構造体は、一般的には「ビード部」という名称で特定される領域に組み込まれ、それぞれのリム上のタイヤのいわゆる「取付径」とほぼ一致する内径を有する。
【０００４】
互いに対しておよびカーカスプライに対して半径方向に重なった関係で配置され、タイヤの円周に沿った伸長方向に対して交差する向きにおよび／またはほぼ平行に配置された織物または金属の補強コードを設けた、１つまたは複数のベルト層を含むベルト構造体が、カーカス構造体に結合される。タイヤを構成する他の半仕上げ品と同様にやはりエラストマー材料からなるトレッドバンドが、半径方向外側の位置でベルト構造体に付与される。
【０００５】
エラストマー材料からなるサイドウオールが、軸方向外側の位置で、カーカス構造体の側面にさらに付与され、それぞれが、トレッドバンドの側縁部の１つから、ビード部のそれぞれの環状固定構造体の近くまで延びる。「チューブレス」タイプのタイヤでは、一般的には「ライナ」と呼ばれる気密コーティング層がタイヤの内面を覆う。
【０００６】
それぞれの構成要素を組み立てることによって行われる未硬化タイヤの構築に続いて、通常、エラストマー配合物を架橋することでタイヤを構造上安定させ、さらに、所望のパターンと、場合によってサイドウオールの区別化可能な図形マークとをタイヤに付けることを目的とした加硫および成形処理が行われる。
【０００７】
カーカス構造体およびベルト構造体は、通常、それぞれの加工ステーションで互いに独立して作製されて、次に相互に組み立てられる。
【０００８】
より詳細には、カーカス構造体の製造では、略円筒形のいわゆる「カーカススリーブ」を形成するために、最初に、構築ドラム上に１つまたは複数のカーカスプライを付与することが企図される。ビード部の環状固定構造体を１つまたは複数のカーカスプライの両側にある端部フラップに取り付けるか、または形成し、次に、環状構造体をループ状に囲むように、カーカスプライを環状構造体のまわりに折り返す。
【０００９】
いわゆる「外側スリーブ」は、第２のまたは補助のドラム上で作製され、前記外側スリーブは、互いに半径方向に重なる関係で付与されたベルト層と、場合によっては、半径方向外側位置でベルト層に付与されたトレッドバンドとを含む。次いで、外側スリーブを補助ドラムから取り出してカーカススリーブに結合する。このために、外側スリーブをカーカススリーブのまわりに同軸に配置し、次いで、カーカスプライが外側スリーブの内面に当たって付着するまで、カーカスプライが半径方向に拡張するように、例えば、ビード部を互いに軸方向に接近させ、同時に、圧力のかかった流体をカーカススリーブに注入することにより、１つまたは複数のカーカスプライをトロイダル形状に成形する。
【００１０】
カーカススリーブの外側スリーブへの取り付けは、カーカススリーブを作製するのに使用されるのと同じドラム上で行うことができ、この場合、「単一ステージの構築プロセス」または「単一ステージのプロセス」と称する。
【００１１】
いわゆる「２ステージ」タイプの構築プロセスも公知であり、このプロセスでは、いわゆる「第１のステージのドラム」は、カーカススリーブを作製するのに使用され、一方、カーカススリーブと外側スリーブとの間の組み立ては、いわゆる「第２のステージのドラム」または「成形ドラム」で行われ、第１のステージのドラムから取り出されたカーカススリーブと、次に補助ドラムから取り出された外側スリーブとが成形ドラム上に運ばれる。
【００１２】
ここで、および下記において、「基本半仕上げ品」という用語は、エラストマー材料からなる連続した細長い要素、ゴムを引いた織物および／または金属コード、帯状要素を示すことを意図している。本明細書の目的に合わせて、「帯状要素」とは、寸法を合わせて切断され、１つまたは複数の織物または金属補強コードを包含する、エラストマー材料からなるストリップを意味することを指摘しておかなければならない。これらの基本半仕上げ品は、半仕上げ品を保管しておく必要なく、適切な量を使用して上記に説明したタイヤの構成要素の１つまたは複数を構成するのに役立つ。
【００１３】
欧州特許第１  ３１２  ４６２号は、それぞれがドラムを設けられたプライ供給ステーション、カーカス構築ステーション、組立ステーション、およびベルト構築ステーションが生産ラインに沿って配置された構築システムを開示している。生産ラインに沿って移動可能な運搬部材が、加工中の製造品を１つの加工テーションから別の加工ステーションに移送し、製造品をドラムから外して次のステーションのドラム上にその製造品を配置する。
【００１４】
同出願人による国際公開第２００４／０４１５２１号は、カーカススリーブが主ドラム上で形成され、一方、ベルト構造体が補助ドラム上で作製される構築プロセスを開示している。続いてトレッドバンドがベルト構造体上に形成され、その後、ベルト構造体およびトレッドバンドからなる外側スリーブが補助ドラムから取り出されて、主ドラム上に配置されたカーカススリーブに結合される。このために、移送リングが、カーカススリーブのまわりの同軸上に芯出しされた位置に外側スリーブを置き、カーカススリーブはトロイダル形状に成形されて外側スリーブに組み込まれる。
【００１５】
欧州特許第１  ４８１  ７９１号は、カーカス構築ラインに沿って順次移送されるそれぞれのカーカス構築ドラム上にカーカス構造体を形成するために、所定の距離だけ相互に離れて分散された複数のカーカス構築ステーションを含むタイヤ生産システムを開示している。ベルト生産ラインに沿って、所定の距離だけ相互に離れて分散されたベルト構築ステーション間を順次移動されるそれぞれのベルト構築ドラム上に、トレッドバンドを搭載したベルト構造体を形成する。カーカスおよびベルトは、加硫モールド型内で相互組み立てされる。
【００１６】
同出願人による国際公開第２００６／０６４５２６号では、略円筒形のカーカススリーブが構築ステーションで作製され、一方、仕上げステーションでは、同様に略円筒形であり、半径方向外側位置でベルト構造体に付与されたトレッドバンドを含む外側スリーブが形成される。外側スリーブの製造では、仕上げステーションの第１の加工位置で、第１のベルト構造体が第１の補助ドラム上に形成され、一方、仕上げステーションの第２の加工位置で、トレッドバンドが、第２の補助ドラム上に前もって形成された第２のベルト構造体に付与される。次いで、第１の補助ドラムは、第２の加工位置に配置され、一方、第２の補助ドラムは、把持位置に配置され、移送部材によって取り出され、構築ステーションで形成されたカーカススリーブのまわりの中心を合わせた位置に送られる。
【発明の概要】
【発明が解決しようとする課題】
【００１７】
上記の生産プロセスにおいて、本出願人は、生産プロセスでの高い運転柔軟性（operating flexibility）を維持しながら、大きさおよび構造が互いに異なるタイヤの日々の生産性を高めるという課題に直面した。より具体的には、この場合の「運転柔軟性」とは、エラストマー材料のタイプ、または織物もしくは金属強化コードのタイプに関して、あらゆるタイヤについて各タイヤごとの様々な基本半仕上げ品を使用できることを意味する。
【００１８】
本出願人は、それぞれが特定の加工ステップの実施専用であり、様々なタイプのタイヤの加工に個別に適応できる２つ以上の加工ステーションで、それぞれカーカススリーブおよび／または外側スリーブを構築することにより、加工サイクルを完了するのに必要とされる時間を短縮することができ、さらに、個々のステーション、したがって全体としてのプラントが、様々なタイプおよび大きさのタイヤの加工に対するより高い適応性をもつことができることを突きとめた。
【００１９】
本出願人はまた、上記のことを行うために、構築ドラムおよび補助ドラムが、カーカススリーブおよび外側スリーブの形成用に設計された様々な構築ライン間で少なくともドラムの移動を制御して幅広い移動の自由を前記ドラムにもたらすことができるそれぞれの外部移送ユニットに、適切に連結できることが必要であると分かった。
【００２０】
本出願人はまた、上記のことを達成するために、前記移送ユニットが、高い生産性を維持できる作業移動速度を利用して、互いに妨害することなく相互作用することを可能にし、それと同時に、前記スリーブの幾何学的位置決めの効果により、処理対象のタイヤの特徴について設計との一貫性を維持することを可能にするように、外側スリーブとカーカススリーブとの結合を行われなければならないということに気付いた。
【００２１】
本出願人は最後に、外部移送ユニットから構築ドラムおよび補助ドラムを受け取って、構築ドラムおよび補助ドラムを所定の向きに保持することができる組立ステーションを設けることによって、日々の生産性および技術的な柔軟性が維持され（observance of he daily productivity and technological flexibility is oobtained）、それと同時に完成品の品質が改善されることを見出した。
【００２２】
より詳細には、以下の特徴が得られる。
−補助ドラムから外側スリーブを取り出して、次に、構築ドラムに担持されたカーカススリーブのまわりに外側スリーブを配置するように構成された把持ユニットに対する心出し。
−カーカススリーブと外側スリーブとの間の組み立て作業の効率性。
【課題を解決するための手段】
【００２３】
より具体的には、第１の態様では、本発明は、タイヤを組み立てる方法に関し、その方法は、少なくとも１つのカーカスプライおよび一対の環状固定構造体を含むカーカススリーブを構築ドラム上に形成し、少なくとも１つのベルト層およびトレッドバンドを含む外側スリーブを補助ドラム上に形成し、補助ドラムを組立ステーションに係合させ、補助ドラムから外側スリーブを取り出し、構築ドラムを組立ステーションに係合させ、構築ドラム上に形成されたカーカススリーブに対して半径方向外側の位置に外側スリーブを配置し、カーカススリーブを前記外側スリーブに結合し、組み立てたタイヤを組立ステーションから取り出す各ステップを含む。
【００２４】
したがって、本発明による方法は、複数の加工ステーションで互いに異なる基本半仕上げ品を使用しても未硬化タイヤを得ることができるようにし、カーカススリーブと外側スリーブとの間の位置決めおよび心合わせの最適な再現性が、生産速度が速くても保証される。したがって、プラントの生産性を損なうことなく、所望のレベルの品質および生産柔軟性が得られる。
【００２５】
さらなる態様によれば、本発明は、タイヤを組み立てる装置に関し、その装置は、ベルト構造体およびトレッドバンドを含む外側スリーブを担持する補助ドラム、及び少なくとも１つのカーカスプライおよび一対の環状固定構造体を含むカーカススリーブを担持する構築ドラムに連結される係合装置と、補助ドラムを係合装置に連結する第１の移送ユニットと、構築ドラムを係合装置に連結する第２の移送ユニットと、係合装置に連結された補助ドラムから外側スリーブを取り出し、その外側スリーブを、係合装置に連結された構築ドラムに担持されたカーカススリーブに対して半径方向外側の位置に配置する把持ユニットとを含む。
【００２６】
本発明は、上記の態様の少なくとも１つにおいて、下記に説明する好ましい特徴の１つまたは複数を有することができる。
【００２７】
構築ドラムは、組立ステーションから補助ドラムを取り出す前に、組立ステーションに係合される。
【００２８】
前記構築ドラムは、補助ドラムと軸方向に一列に整列した関係にあるのがより好ましい。
【００２９】
構築ドラムおよび補助ドラムを取り付けるステップの少なくとも部分的な同時性により、組立ステーションで加工サイクルを行う時間を有益に短縮することが可能になる。
【００３０】
処理対象のタイヤを組立ステーションから取り出すことには、取り出し運搬装置をタイヤの外側面に係合させ、取り出し運搬装置を移動させて、構築ドラムからタイヤを軸方向に取り出、前記取り出し運搬装置を移動させて、タイヤを組立ステーションから遠ざける各ステップが含まれる。
【００３１】
タイヤの取り出しは、特定の取り出し運搬装置を利用するので、組立ステーションは、新たな加工サイクルを行うのに即座に使用可能になり、構築ドラムからタイヤを取り出して、そのタイヤを組立ステーションから遠ざける間の使用不能時間が最小限になるか、またはなくなる。
【００３２】
組立ステーションでの構築ドラムの係合は、構築ドラム自体の軸方向両端で、心棒と心押し台（footstock）との間で行われるのが好ましい。
【００３３】
構築ドラムの係合には、互いに離間した心棒と心押し台との間で、構築ドラムを軸方向に整列させて配置し、構築ドラムを心棒に係合させ、心押し台を心棒の近くに軸方向に移動させて、前記心棒と心押し台との間で構築ドラムを係合させる各ステップを含むことができる。
【００３４】
組立ステーション内での補助ドラムの係合には、互いに離間した心棒と心押し台との間で、補助ドラムを軸方向に整列させて配置し、補助ドラムを心棒と係合させる各ステップを含むことができる。
【００３５】
こうして、組み立てステップ中のカーカススリーブおよび外側スリーブを配置する際における信頼性、精度、および再現性という点で、重要な改善がなされる。
【００３６】
補助ドラムと心押し台との係合は、補助ドラムと心押し台とを軸方向に接近させることで行われる。
【００３７】
補助ドラムと心押し台とを軸方向に接近させている間に、補助ドラムは、組立ステーションに担持され補助ドラムから外側スリーブを取り出すように設計された把持ユニットに軸方向に挿入される。
【００３８】
補助ドラムを前記相互に離間した心棒と心押し台との間に軸方向に整列させて配置する前に、把持ユニットを軸方向に位置決めして、補助ドラムと心押し台との連結が完了したときに、外側スリーブの中央軸に対して軸方向に中心を合わせた位置に配置されるようにする。
【００３９】
心押し台は、心押し台に担持された少なくとも１つの駆動キーを角度的に位置決めするために、補助ドラムと係合する前に、回転して調整する（be set in rotation）ことができる。
【００４０】
前記結合ステップは、組立ステーションに担持された成形装置を構築ドラムに動作可能に連結し、カーカススリーブを前記外側スリーブに結合するために、カーカススリーブをトロイダル形状に成形することを含むのが好ましい。
【００４１】
実際上、本出願人は、カーカススリーブに対して外側スリーブの中心を完全に合わせることにより、また、カーカススリーブを成形してこれを外側スリーブに結合するのを可能にするのに、構築ドラムに動作可能に連結された成形装置を使用して、カーカススリーブが形成された構築ドラムからカーカススリーブを取り出すことなく、カーカススリーブと外側スリーブとの間の組み立てを完成させることにより、製品を優れた品質にすることができることを見出した。
【００４２】
構築ドラムの外部に成形装置を配置することで、前記構築ドラムは重量がより軽くなって、より容易に取り扱うことができ、その結果として、あまりかさばらず、より信頼できる装置がもたらされる。
【００４３】
外側スリーブを補助ドラムから取り出すことには、補助ドラムに担持された外側スリーブのまわりに把持ユニットが配置されるまで、組立ステーションに担持された把持ユニットを補助ドラムの幾何学的回転軸に対して平行に移動させ、外側スリーブを把持ユニットに係合させ、補助ドラムを軸方向に移動させて、これを外側スリーブから切り離す各ステップが含まれる。
【００４４】
外側スリーブを補助ドラムから取り出した後、補助ドラムは把持ユニットと軸方向に整列した状態でなくなるように移動される。
【００４５】
外側スリーブをカーカススリーブに対して半径方向外側の位置に配置するステップは、外側スリーブがカーカススリーブのまわりに配置されるまで、把持ユニットを構築ドラムの幾何学的回転軸に対して平行に移動させることで行われる。
【００４６】
構築ドラムを成形装置に動作可能に連結するステップは、一対の保持部材（retaining member）を構築ドラムと係合させることを含み、各前記保持部材は、構築ドラムの１つの半体と軸方向に接近した関係にあることが好ましい。
【００４７】
前記保持部材の少なくとも１つは、構築ドラムに担持された円周方向当接縁部（circumferential abutment edge）に対接して作用するのがより好ましい。
【００４８】
したがって、前記保持部材は、カーカススリーブの拡張中に効率的な気密作用を及ぼすことができ、かつ／またはカーカスプライが環状固定構造体から滑り落ちるのを防止することができ、これは、成形ステップの遂行に重要な利益をもたらす。
【００４９】
環状固定構造体は、カーカススリーブを外側スリーブに結合するステップ中に、構築ドラムに対してロックされるのが好ましい。
【００５０】
前記ロックされるステップと同時に、カーカススリーブの密封が、環状固定構造体において行われることがより好ましい。
【００５１】
前記保持部材の少なくとも１つは、前記少なくとも１つの環状固定構造体に押し当たった関係にされる（into thrust relationship against said at least one annular anchoring structure）のがより好ましい。
【００５２】
前記保持部材の少なくとも１つを構築ドラムと係合させることには、保持部材のフランジ付き要素（flanged element）を構築ドラムに対して固定し、保持部材の封止リングを前記円周方向当接縁部に押し付ける各ステップが含まれる。
【００５３】
フランジ付き要素を固定することにより、カーカススリーブの内部に注入された、圧力のかかった流体の効果によって、成形ステップ時に発生する押し力の効率的なコントラスト作用（an efficient contrast action of the thrusts generated during the shaping step）が保証される。さらに、封止リングを押し付けることにより、エラストマー材料が塑性降伏している場合でも、カーカスプライが環状固定構造体に対して確実にロックされるようになる。
【００５４】
フランジ付き要素の固定は、フランジ付き要素に担持され構築ドラムの中心シャフトに作用する油圧式ブレーキの加圧チャンバ内で機能するねじ付き部材のねじを緩めることによって行われるのが好ましい。
【００５５】
封止リングは、構築ドラムの幾何学軸に対して平行に移動可能な、円周方向に分散されたスライドシュー（sliding shoe）によって押されるのが好ましい。
【００５６】
カーカススリーブを外側スリーブに結合するこのステップの後、それに続くステップでは、組み立てたタイヤから把持ユニットを切り離し、構築ドラムを半径方向に縮小させ、処理対象のタイヤを構築ドラムから解放する。
【００５７】
組立ステーションでの構築ドラムの係合は、構築ドラムの軸方向両端部に作用する心棒と心押し台との間で行われるのが好ましく、前記心押し台は、カーカススリーブを外側スリーブに結合するステップの後で行われる転圧（rolling）ステップ時に、構築ドラムを回転駆動するために回転して調整される。
【００５８】
前記カーカススリーブの少なくとも一部は、基本半仕上げ品を構築ドラム上に置くことによって作製されるのが好ましい。
【００５９】
前記少なくとも１つのベルト層は、基本半仕上げ品を補助ドラム上に置くことで形成することができる。
【００６０】
前記係合装置は、相互の整列軸に沿って（along an axis of mutual alignment）軸方向に対向して配置された心棒および心押し台を含む。
【００６１】
前記心棒および心押し台は、前記構築ドラムと前記補助ドラムの軸方向嵩高の合計よりも長い距離で前記心押し台および心棒が相互に離間した、互いに離れた状態から出発して、相互の整列軸に沿って互いの近くに移動できるのが好ましい。
【００６２】
前記心棒および心押し台は、心棒が、第２の移送ユニットに担持された構築ドラムの１つの端部と係合するのに適し、一方、前記心押し台が、第１の移送ユニットに担持された補助ドラムの１つの端部と係合した、互いに離れた状態から出発して、前記相互の整列軸に沿って互いの近くに移動できるのが好ましい。
【００６３】
したがって、構築ドラム用の空間を作るために補助ドラムを取り出さなくても、構築ドラムを心棒と一列に整列させて配置することが可能である。
【００６４】
心押し台および心棒が互いに離間した状態における心押し台と心棒との間の軸方向距離は、心棒に連結された構築ドラムが、心押し台に連結された補助ドラムから、補助ドラムの軸方向の嵩高よりも軸方向に長く離間するような距離とすることができる。
【００６５】
したがって、補助ドラムを軸方向に移動させて、構築ドラムと干渉することなく、組立ステーションから補助ドラムを取り出すことができる。
【００６６】
前記心棒および心押し台は、前記相互に離れた状態と、心棒および心押し台が構築ドラムの両端部に作用する相互に接近した状態との間を、相互移動可能である。
【００６７】
処理対象のタイヤを構築ドラムから取り出し、構築ドラムから遠ざける取り出し運搬装置も設けられる。
【００６８】
取り出し運搬装置は、タイヤを構築ドラムから軸方向に外すために、構築ドラムの幾何学的回転軸に対して平行に移動可能であり、また、タイヤを前記構築ドラムから遠ざけるために、前記幾何学的回転軸に対して半径方向に移動可能である。
【００６９】
前記心押し台は、前記補助ドラムおよび／または前記構築ドラムに担持された少なくとも１つの取り付け座部（fitting seat）と動作可能に係合できる駆動キーを角度的に位置決めするために、モータによって回転駆動することができる。
【００７０】
成形装置は、カーカススリーブを半径方向に拡張させて、把持ユニットに保持された外側スリーブにカーカススリーブを結合するために、係合装置に連結された構築ドラムに動作可能に連結することができる。
【００７１】
各前記構築ドラムおよび補助ドラムは、前記係合装置によって係合される少なくとも１つのグリップエンドを担持する中心シャフトを含むのが好ましい。
【００７２】
構築ドラムおよび補助ドラムのグリップエンドは、互いに同一となるように形成されるのがより好ましい。
【００７３】
前記把持ユニットは、係合装置上で構築ドラムおよび補助ドラムの幾何学的回転軸に対して平行に移動可能な環状構造体と、環状構造体に対して半径方向に移動可能な複数のプレートとを含むのが好ましい。
【００７４】
成形装置は、構築ドラム上で動作して環状固定構造体を軸方向に接近させるアクチュエータと、環状固定構造体が相互接近する間に、カーカススリーブに作動流体を供給する拡張部材（inflating member）とを含むのが好ましい。
【００７５】
成形装置は、前記少なくとも１つのカーカスプライと係合する環状固定構造体の１つにそれぞれ押し当たった関係で作用する保持部材を含む。
【００７６】
各前記保持部材は、構築ドラムに担持された少なくとも１つの連結部材と動作可能に係合することができる。
【００７７】
各保持部材は、少なくとも１つのフランジ付き要素を含み、かかるフランジ付き要素は、軸方向に接近した関係で構築ドラムに取り外し可能に固定され、それぞれの環状固定構造体に対接して作用するように設計された少なくとも１つの封止リングを担持する。
【００７８】
前記フランジ付き要素は、前記保持部材を軸方向に移動させるために、少なくとも１つのアクチュエータにより移動できる構造体によって回転可能に支持される。各保持部材は、前記少なくとも１つの連結部材に動作可能に連結された固定装置を担持する。
【００７９】
固定装置は、前記少なくとも１つの連結部材にスライド可能に係合する案内スリーブに動作可能に取り付けられたブレーキを含む。
【００８０】
前記ブレーキは、前記案内スリーブを通って密封係合する、加圧チャンバ内に配置された端部部分を有するねじ付き部材と、前記ねじ付き部材を回転駆動する駆動装置とを含むのが好ましい。
【００８１】
したがって、ブレーキは、回転油圧連結器の助けを必要とすることなく作動することができ、これは、装置全体の構造の単純化と動作の信頼性という点から有益である。
【００８２】
各前記保持部材は、押し付け装置（thrust device）をさらに含み、かかる押し付け装置は、封止リングに作用して、封止リングをそれぞれの環状固定構造体の方に向かって押し付ける。
【００８３】
したがって、環状固定構造体に対して１つまたは複数のカーカスプライを効率よく密封し、かつ／またはロックすることを保証でき、このため、処理対象のタイヤを形成する未処理のエラストマー材料の起こり得る降伏を、封止リングの一定の押し付けによって補償することができる。
【００８４】
前記少なくとも１つの封止リングは、封止リング自体の半径方向外側の円錐台状の面でそれぞれの環状固定構造体に対接して機能する。
【００８５】
前記少なくとも１つの封止リングは、押し付け装置の作動時に半径方向に拡張することができる。
【００８６】
前記押し付け装置は、流体作動式アクチュエータの作動時に前記少なくとも１つの封止リングの方に向かって軸方向に移動可能な押し付けリングを含む。
【００８７】
前記少なくとも１つの流体作動式アクチュエータは、円形の反対面に対接して動作し前記少なくとも１つの押し付けリングに作用を及ぼす少なくとも１つのスライドシューを含む。
【００８８】
各保持部材は、それぞれ同心で異なる直径からなる複数の封止リングを含むのが好ましい。
【００８９】
前記円形の反対面は、前記封止リングの１つにそれぞれ対応する複数の押し付けリングに同時に作用するコマンドリングによって担持される。
【００９０】
したがって、成形装置は、互いに異なる取付径を有する幅広い種類のタイヤを加工するのに適している。
【００９１】
封止リングは、押し付けリングの円周方向縁部に対向する半径方向内側の円錐台状の面を有するのが好ましい。
【００９２】
さらに、転圧装置（rolling device）も用意されるのが好ましく、転圧装置は、係合装置に連結された構築ドラムに対して半径方向に移動できる。
【００９３】
組立ステーションは、前記係合装置、把持ユニット、ならびに第１および第２の移送ユニットを補助するのが好ましい。
【００９４】
さらなる実施形態によれば、組立ステーションは、前記係合装置、把持ユニット、第１および第２の移送ユニット、ならびに成形装置を補う（supplement）。
【００９５】
好ましい実施形態では、装置は、構築ドラム上に少なくとも１つのカーカススリーブを形成するためのカーカス構築ライン、補助ドラム上に少なくとも１つの外側スリーブを形成するための外側スリーブ構築ライン、各カーカススリーブを各外側スリーブに結合するための組立ステーションをさらに含み、前記第１の移送ユニットは、少なくとも、外側スリーブ構築ラインの加工ステーションから組立ステーションに補助ドラムを運び、前記第２の移送ユニットは、少なくとも、カーカス構築ラインの加工ステーションから組立ステーションに構築ドラムを運ぶ。
【００９６】
さらなる特徴および利点が、本発明によるタイヤを製造する方法および装置の、好ましいが唯一のものではない実施形態の詳細な説明からさらに明らかになるであろう。
【００９７】
この説明は、非限定的な例として示される添付の図面に関連して下記に提示される。
【図面の簡単な説明】
【００９８】
【図１】本発明によるタイヤ生産用のプラントの概略的な平面図である。
【図２】本発明による装置の一部である組立ステーションの斜視図である。
【図３】組立ステーションに付属する把持ユニットによって外側スリーブを係合させるステップの外側スリーブを径断面図で（in diametrical section）概略的に示している。
【図４】組立ステーションに付属する保持部材によってビード部を係合させるステップのカーカススリーブを半径断面図で示している。
【図５】カーカススリーブが成形されて外側スリーブに結合されるステップの処理対象のタイヤを示している。
【発明を実施するための形態】
【００９９】
図面を参照すると、本発明による方法を実施するように設計された、車両ホイール用のタイヤを構築する装置が参照数字１で全体として示されている。
【０１００】
装置１は、好ましくは、気密用のエラストマー材料層、すなわち、いわゆる「ライナ」４で内部を被覆された少なくとも１つのカーカスプライ３を基本的に含むタイヤ２（図５）を製造することを意図されている。それぞれが好ましくは半径方向外側位置でエラストマーフィラ５ｂを担持したいわゆるビードコア５ａを含む環状固定構造体５が、１つまたは複数のカーカスプライ３のそれぞれの端部フラップ３ａと係合している。環状固定構造体５は、通常「ビード部」６とされる領域に近接して一体化され、一般的には、環状固定構造体５の内径で決まる取付径に従って、タイヤ２とそれぞれの取り付けリム（図示せず）との間の係合がビード部でなされる。
【０１０１】
通常、１つまたは複数のベルト層７ａを含むベルト構造体７は、１つまたは複数のカーカスプライ３のまわりに円周方向に付与され、トレッドバンド８は、円周方向でベルト構造体７に重なっている。それぞれが、対応するビード部６からトレッドバンド８の対応する側縁部に延びる２つのサイドウオール９は、横方向両側の位置でカーカスプライ３に付与されている。
【０１０２】
図１に例として概略的に示した好ましい実施形態では、装置１は、１つまたは複数の構築ドラム１１が、各構築ドラム１１上にカーカススリーブ１２を形成するように設計された様々な加工ステーション（図示せず）間を順次移動するカーカス構築ライン１０を含み、前記カーカススリーブ１２は、少なくとも１つのカーカスプライ３、ライナ４、環状固定構造体５、および、場合によっては、サイドウオール９の少なくとも一部を含む。同時に、外側スリーブ構築ライン１３では、１つまたは複数の補助ドラム１４が、各補助ドラム１４上に外側スリーブ１５を形成するように設計された様々な加工ステーション（図示せず）間を順次移動し、その外側スリーブ１５は、少なくとも１つのベルト構造体７、トレッドバンド８、および、場合によっては、サイドウオール９の少なくとも一部を含む。
【０１０３】
装置１は、図２によりよく示された組立ステーション１６をさらに含み、その組立ステーションで、外側スリーブ１５が補助ドラム１４から取り出されて、構築ドラム１１上に形成されたカーカススリーブ１２に結合される。
【０１０４】
より詳細には、構築ドラム１１は、構築ドラムの幾何学軸Ｘ−Ｘに沿って延びる第１の中心シャフト１７によって支持された２つの半体１１ａを有する。半体１１ａは、例えばねじ付きバー１８により、軸方向に接近することができ、かかるねじ付きバー１８は、第１の中心シャフト１７内に動作可能に配置され、それぞれが半体１１ａの１つと係合するそれぞれ右手部分および左手部分の２つのねじ付き部分１８ａ、１８ｂを担持する。ねじ付きバー１８が回転されると、その結果として、構築ドラム１１の半体１１ａは、第１の中心シャフト１７に沿ってそれぞれ反対方向に同時に移動するように誘導される。
【０１０５】
構築ドラム１１は、中央部１９をさらに含むことができ、かかる中央部１９は、半体１１ａにスライド可能に係合し、半径方向外側位置で実質的に連続する外側面２０を半体と共に画定するように、半体に対して面が連続する関係で（in a surface-continuity relationship延びる。
【０１０６】
各半体１１ａおよび中央部１９は、それぞれの円周セクタで構成されており、かかる円周セクタは、処理対象のタイヤ２を構築ドラム１１から取り出すことを可能にするために、各半体および中央部が半径方向に幾何学軸Ｘ−Ｘに近接して配置されて、構築ドラム１１を処理対象のタイヤの取付径よりも小さい直径嵩高にする休止状態（図示せず）と、図に示すように、好ましくは取付径よりも大きい直径を有する前記外側面２０を形成するために、各半体および中央部が円周方向に連続した関係で延びる作動状態との間を、半径方向に移動可能となっている。
【０１０７】
示した実施形態では、円周セクタの半径方向の移動は、複数の連結ロッド２１を通じて行われ、各連結ロッド２１は、構築ドラム１１の中央部１９にあるセクタの１つと、第１の中心シャフト１７によって回転可能に担持され、第１の中心シャフト１７自体の内部に収容された管状スリーブ２３により、角回転で駆動可能な駆動カラー（drive collar）２２との間に、それぞれが固定される。中央部１９のセクタを軸方向に貫通する伝動バー２４は、前記セクタの半径方向の移動を、第１の中心シャフト１７に対して半径方向に延びるそれぞれの支柱２５に沿ってスライド可能に案内される、構築ドラム１１の軸方向両側にある半体１１ａの円周セクタに伝える。
【０１０８】
第１の中心シャフト１７は、連結用終端部１７ａを有し、かかる連結用終端部１７ａは、カーカス構築ライン１０に沿って配置された前記加工ステーション間で構築ドラム１１を順次移動させるように構成された少なくとも１つの自動化アームまたは他の移送装置（図示せず）を用いて、動作可能に係合できる。
【０１０９】
カーカス構築ライン１０に配置された加工ステーションの少なくとも１つは、例えば、１つまたは複数の送出装置を含むことができ、かかる送出装置は、外側面２０上、および／または構築ドラム１１の軸方向両側の位置で、外側面自体と連続する関係で取り外し可能に連結できる、有り得る補助支持要素（図示せず）上に、上記のライナ４を形成するために、構築ドラム１１がその幾何学軸Ｘ−Ｘのまわりに回転駆動されている間に、エラストマー材料からなる少なくとも１つの連続した細長い要素を供給する。ライナ４に加えて、またはその代替として、ビード部６に導入される摩耗防止挿入体、および／または、いわゆるランフラットタイプのタイヤの場合に、構築ドラム１１のそれぞれの半体１１ａに付与されて、次いで、サイドウオール９の領域でタイヤ２に組み込まれる、（サイドウオール挿入体と呼ばれる）補助支持挿入体を形成することもできる。
【０１１０】
上記の部分を形成した後、任意の簡便な態様で作製できるので示していない付与装置が、外側面２０のまわりに１つまたは複数のカーカスプライ３を付与する。各カーカスプライ３は、連続したストリップの形態の製造品で構成することができ、この連続したストリップは、外側面２０のまわりにこのストリップを巻き付けるために、外側面２０の円周方向伸長部に合わせて前もって切断され、構築ドラム１１がその幾何学軸Ｘ−Ｘのまわりに回転している間、外側面に向かって送出される。
【０１１１】
好ましい実施形態では、少なくとも、１つまたは複数のカーカスプライ３および／あるいはタイヤ２の他の部分が、基本半仕上げ品を置くことによって作製される。
【０１１２】
このために、付与装置は、例えば、同出願人による文献、米国特許第６，３２８，０８４号に記載したものと同じ態様で、構築ドラム１１が段階的な動きで回転駆動されている間、複数の帯状要素を外側面２０の円周方向伸長部に対して横方向に配置して順次付与する部材を含むのが好ましい。
【０１１３】
この場合に、１つまたは複数のカーカスプライ３は、外側面２０の円周方向伸長部全体を覆うように、帯状要素を互いに接近した関係で付与することによって、構築ドラム１１上に直接形成されるのが好ましい。
【０１１４】
外側面２０は、構築ドラム１１上に配置された１つまたは複数のカーカスプライ３の端部フラップ３ａが、外側面２０の両端から軸方向に突出するように、軸方向長さが前記少なくとも１つのカーカスプライ３の幅よりも短くなっているのが好ましい。
【０１１５】
それ自体公知の態様で作製できるので図示しない位置決め部材は、幾何学軸Ｘ−Ｘの方に向かって折り曲げられた、１つまたは複数のカーカスプライ３の端部フラップ３ａの１つのまわりに、各環状固定構造体５を同軸に取り付け、前記構造体を構築ドラム１１の対応する半体に押し当てて軸方向に当接した関係で配置する。
【０１１６】
配置が完了すると、環状固定構造体５と１つまたは複数のカーカスプライ３との係合を安定化させて、前記カーカススリーブ１２を形成するために、折り返し部材が、それぞれの環状固定構造体５のまわりに各端部フラップ３ａを折り返す。
【０１１７】
環状固定構造体５の係合が完了すると、またはこの作業ステップと同時に、サイドウオール９を付与することができる。
【０１１８】
図３によりよく示すように、補助ドラム１４には、補助ドラムの幾何学的対称軸Ｘ’−Ｘ’のまわりに連続して配置された複数の補助セクタ２７によって画定される略円筒形の敷設面２６が、外側に設けられている。補助セクタ２７は、それぞれの連結用終端部２８ａを担持する第２の中心シャフト２８を通じて駆動可能な図示しない調整装置により、半径方向に同時に移動することができる。
【０１１９】
各補助セクタ２７は、円周方向に隣接する補助セクタ２７に担持された相補的な櫛状端部部分２７ａとそれぞれが動作可能に係合する櫛状端部部分２７ａを有するのが好ましい。
【０１２０】
補助ドラム１４は、第２の中心シャフト２８の連結用終端部２８ａに作用する少なくとも１つの自動化アームまた他の操作装置によって、外側スリーブ構築ライン１３に沿って配置された様々な加工ステーションに移動され、簡便に駆動されるように構成されている。
【０１２１】
補助セクタ２７は半径方向に可動であるので、最小直径から始まって、設計仕様に準じた外側スリーブ１５を製造するのに適した直径に達するまで、補助ドラム１４の直径寸法を変えることができる。最小直径の状態では、補助セクタ２７は、敷設面２６を連続した伸長部にするように、補助セクタ上にあるそれぞれの円周方向ショルダ部によって櫛状端部２７ａで互いに当接することができ、この連続した伸長部は、エラストマー材料からなる少なくとも１つの連続した細長い要素を連続的に接近して配置されたコイルの状態に巻き付けて敷設することによって、下方ベルト挿入体などの、外側スリーブ１５のエラストマー材料からなる部分の形成を可能にするのに適している。
【０１２２】
下方ベルト挿入体の製造が完了すると、補助セクタ２７は、敷設面２６とその上に形成された下方ベルト挿入体とが、ベルト層７ａおよび／または外側スリーブ１５の他の部分の形成に適した直径になるまで、半径方向に拡張することができる。櫛状端部部分２７ａがあるために、敷設面２６は、補助ドラム１４が半径方向に拡張した後であっても、その略円筒形の構造と、実質的に連続した、すなわち、深刻な不連続性がない伸長部とを維持することができる。
【０１２３】
敷設面２６に深刻な不連続性がないので、とりわけ、好ましい実施形態で提示したように、少なくとも、１つまたは複数のベルト層７ａおよび／あるいは外側スリーブ１５の他の部分が、帯状要素または他の基本半仕上げ品を補助ドラム１４上に置くことによって作製される場合に、外側スリーブ１５の様々な部分を正確に形成するのが容易になる。
【０１２４】
ベルト構造体７の形成が完了すると、補助ドラムが回転駆動されている間に、連続した細長いエラストマー要素を供給する送出部材を用いてトレッドバンド８が構築され、この連続した細長いエラストマー要素は、補助ドラム１４に担持されたベルト構造体７上に、横に並んだおよび／または半径方向に重なった関係で配置されたコイルの形態で付与される。
【０１２５】
外側スリーブ１５の構築が完了すると、第１の移送ユニット２９が、補助ドラム１４を組立ステーション１６に移送する。
【０１２６】
この第１の移送ユニット２９は、第２の中心シャフト２８の連結用終端部２８ａに動作可能に連結できるヘッド３０を有する自動化アーム、より好ましくは、６つ以上の（好ましくは７つの）運動軸を有する関節ロボットを含むのが好ましい。第１の移送ユニット２９はまた、外側スリーブ構築ライン１３で補助ドラム１４を支持し、少なくとも、前記ラインに沿って設けられた最後の加工ステーションと前記組立ステーション１６との間で補助ドラムを簡便に移動させる作業を任せられるのが好ましい。前記第１の移送ユニット２９は、敷設面２６の直径を調整するために、前記装置を操作することもできる。
【０１２７】
補助ドラム１４の組立ステーション１６への移送は、ドラム自体をその幾何学的回転軸Ｘ’−Ｘ’に対して半径方向に平行移動させて、補助ドラムを、組立ステーション自体に設置された係合装置３１と一列に整列させることにより行われる。
【０１２８】
係合装置３１は、互いに反対側にあり同軸上に互いに整列した心棒３１ａおよび心押し台３１ｂを含むのが好ましい。
【０１２９】
心棒３１ａおよび心押し台３１ｂは、互いに離れた状態から出発して相互に接近することができ、互いに離れた状態において、心棒および心押し台は、前記構築ドラムと補助ドラムの軸方向嵩高の合計よりも長い距離で互いから離間する。このために、心押し台３１ｂは、図示しない装置の作動と同時に、組立ステーション１６と一体の第１のスライドガイド３２に沿って移動することができる。
【０１３０】
心押し台３１ｂはまた、第２の中心シャフト２８のグリップエンド２８ｂによって提供される、対応する取付座部３４の角度位置に応じて、少なくとも１つの駆動キー３３の角度位置を調整するために、図示しないそれぞれのモータによって回転駆動することができる。上記の調整は、相互に離れた位置に配置された心押し台３１ｂと心棒３１ａとの間に補助ドラムを軸方向に整列させる前か、またはそれと同時に完了することができる。
【０１３１】
補助ドラム１４を軸方向に移動させることにより、第２の中心シャフト２８のグリップエンド２８ｂは、心押し台３１ｂに連結され、一方、グリップエンド２８ｂとは反対側に配置された連結用終端部２８ａは、まだ第１の移送ユニット２９によって保持されている。
【０１３２】
このようにして、６つ以上の軸による移動の自由を提供する第１の移送ユニット２９に代表されるシステムによってこれまで支持されていた補助ドラム１４は、組立ステーション１６内にただ１つの正確な配置で効率よく固定される。
【０１３３】
より詳細には、補助ドラム１４はまた、前記の軸方向の移動により、円周方向に分散された複数のプレート３７を用いて補助ドラム１４から外側スリーブ１５を取り出すように構成された把持ユニット３６内に同軸に取り付けられ、プレート３７は、組立ステーション１６と一体のそれぞれの第２のガイド３５に沿って、軸方向に移動可能な環状支持構造体３８に対して半径方向に移動可能である。
【０１３４】
組立ステーション１６において相互に離間する心棒３１ａと心押し台３１ｂとの間に補助ドラム１４を軸方向に整列させて配置する前に、把持ユニット３６の軸方向の位置を前もって調整することができる。このために、環状支持構造体３８は、補助ドラム１４と心押し台３１ｂとの連結が完了したときに、プレート３７が、外側スリーブ１５の中央軸に対して軸方向に中心を合わせた位置にすでに配置されているように、第２のガイド３５に沿って軸方向に位置決めされる。次いで、プレート３７が、外側スリーブ１５と接触するまで、補助ドラムに対して半径方向に同時に接近する。
【０１３５】
ヘッド３０に収容された適切なアクチュエータは、把持ユニット３６のプレート３３によって保持された外側スリーブ１５から補助ドラム１４を切り離すために、第２の中心シャフト２８の連結用終端部２８ａを介して、補助セクタ２７を半径方向に縮小させる。
【０１３６】
次いで、第１の移送ユニット２９により、把持ユニット３６と係合したままの外側スリーブ１５から補助ドラム１４を軸方向に外し、次いで、外側スリーブ構築ライン１３で新たな外側スリーブ１５を製造するのに再度使用するために、補助ドラム１４を把持ユニット３６とその軸方向に整列した状態でなくなるように半径方向に移動させることができる。
【０１３７】
例えば、第１の中心シャフト１７の両端部に動作可能に連結されたフォーク状終端部４０を担持する自動化アームを含む第２の移送ユニット３９は、構築ドラム１１を係合装置３１に連結するために、カーカス構築ライン１０から構築ドラム１１を受け取る。
【０１３８】
第２の移送ユニット３９自体には、カーカス構築ライン１３で構築ドラム１１を支持し、カーカス構築ライン１０自体に沿って設けられた少なくとも最後の加工ステーションと組立ステーション１６との間で、構築ドラムを簡便に移動させる作業を任せることができる。
【０１３９】
構築ドラム１１の組立ステーション１６への移送は、ドラムをその幾何学的回転軸Ｘ−Ｘに対して半径方向に平行移動させて、互いに離れた状態で配置された心棒３１ａと心押し台３１ｂとの間に構築ドラムを一列に整列させることにより行われる。
【０１４０】
整列が完了すると、構築ドラム１または心棒３１ａを軸方向にわずかに移動させることにより、心棒が第１の中心シャフト１７の連結用終端部１７ａと係合する。
【０１４１】
有利にも、組立ステーション１６での構築ドラム１１の軸方向の整列は、補助ドラム１４がまだ組立ステーション自体から取り出されていないときに行うことができる。相互に離れた状態では、心押し台３１ｂと心棒３１ａとの間の軸方向距離は、実際上、心棒３１ａが、第２の移送ユニット３９に担持された構築ドラム１１の連結用終端部１７ａに係合するのに適し、一方、心押し台３１ｂが、第１の移送ユニット２９に担持された補助ドラム１４のグリップエンド２８ｂに係合するような大きさとされる。把持ユニット３６もすでに構築ドラム１１の移動領域から外れて配置されていて、構築ドラムの組立ステーション１６への導入を邪魔することはない。
【０１４２】
相互に離れた状態での心押し台３１ｂと心棒３１ａとの間の軸方向距離はまた、心棒３１ａに連結された構築ドラム１１が、心押し台３１ｂに連結された補助ドラム１４から、補助ドラム１４自体の軸方向嵩高よりも長い距離で軸方向に離間するような特徴をもつのが好ましい。この状態により、すでに心棒３１ａに連結された構築ドラム１１と干渉することなく、把持ユニット３６から補助ドラム１４を軸方向に外すことが可能になる。
【０１４３】
したがって、すべての作業中断時間がなくなり、これは、補助ドラム１４の取り出し、および／または外側スリーブ１５を担持する把持ユニット３６の移動を待つ必要なく、構築ドラム１１を組立ステーション１６に配置することができるので、フロア間の移動時間を短縮するのに有益である。
【０１４４】
構築ドラム１１と心棒３１ａが係合すると、心押し台３１ｂは、構築ドラム１１自体の近くに軸方向に移動されて、心棒３１ａとは反対側で、第１の中心シャフト１７の１つのグリップエンド１７ｂと係合する。次いで、第２の移送ユニット３９のフォーク状の終端部４０を構築ドラム１１から解放し、組立ステーション１６から遠ざけることができる。
【０１４５】
このとき、構築ドラム１１は、外側スリーブ１５を担持した把持ユニット３６と軸方向に整列した関係を保って、組立ステーション１６内のただ１つの正確な（より具体的には、軸Ｘ−Ｘに対して回転する１自由度の）配置で、相互に接近した状態にある心棒３１ａと心押し台３１ｂとの間に効率的に支持される。
【０１４６】
組立ステーション１６で補助ドラム１４および構築ドラム１１の両方を係合するのに同じ係合装置３１を使用することにより、組立ステーション自体内で処理される製造品の、唯一で再現性のある優れた配置が容易になる。このために、構築ドラム１１および補助ドラム１４のグリップエンド１７ｂ、２８ｂ、好ましくは、さらに、連結用終端部１７ａ、２８ａが、互いに同一となるように成形されるのが好ましい。
【０１４７】
把持ユニット３６を、第２のガイド３５に沿って、構築ドラム１１の幾何学的回転軸Ｘ−Ｘに対して平行に移動させることにより、外側スリーブ１５は、構築ドラム１１自体に担持されたカーカススリーブ１２の中央軸に対して、軸方向に中心を合わせた位置に置かれる。
【０１４８】
次いで、組立ステーション１６に設置された成形装置４１が、構築ドラム１１に動作可能に連結されて、カーカススリーブを外側スリーブ１５の半径方向内側面に付着させるために、カーカススリーブ１２をトロイダル形状（図５）に成形する、すなわち、前記カーカススリーブ１２を外側スリーブ１５に結合するステップを行う。
【０１４９】
成形装置４１は、例えば、アクチュエータ（図示せず）を含み、かかるアクチュエータは、心棒３１ａに動作可能に連結されて、構築ドラム１１の半体１１ａ、したがって、カーカススリーブ１２の環状固定構造体５を軸方向に相互接近させるように、ねじ付きバー１８を回転駆動する。成形装置４１は、拡張部材をさらに含むのが好ましく、かかる拡張部材は、環状固定構造体５が相互に接近する間に、カーカススリーブ１２に作動流体を供給し、膨張によってカーカススリーブを半径方向に拡張させるために、構築ドラム１１内に少なくとも部分的に形成された少なくとも１つの供給ダクト４２に連結され、例えば、第１の中心シャフト１７に沿って開いた空気回路を有する。
【０１５０】
次いで、構築ドラム１１が、カーカススリーブ１２を成形するステップを実施可能にするために、成形装置４１と一体化されるように構成された少なくとも１つの保持部材４３と動作可能に係合される。より詳細には、好ましい実施形態では、構築ドラム１１は、それぞれが前記半体１１ａの１つと軸方向に接近した関係にある少なくとも一対の保持部材４３と、動作可能に係合される。保持部材４３は、半体１１ａが相互接近したのと同時に、１つまたは複数のカーカスプライ３のトロイダル構造を実現できるように、構築ドラム１１に担持された円周方向当接縁部４４にそれぞれ対接して作用するように構成されている。
【０１５１】
より詳細には、各保持部材４３は、成形ステップ中に、ビード部６を構築ドラム１１に対接した状態に維持するように、かつ／または環状固定構造体５に対して１つまたは複数のカーカスプライ３をロックするように、それぞれが前記円周方向当接縁部４４の１つを画定する環状固定構造体５の１つに押し当たった関係で作用して、カーカススリーブ１２の半径方向拡張時の、１つまたは複数のカーカスプライの所望しないクリープ、またはビード部６の領域での他の任意の所望しない変形を回避するように構成されている。
【０１５２】
各保持部材４３は、移動可能な構造体４６によって回転可能に支持された少なくとも１つのフランジ付き要素４５を含むのが好ましく、構造体４６は、図には示していない少なくとも１つの電気作動式または流体作動式のアクチュエータによって、保持部材４３を構築ドラム１１に対して軸方向に移動させる。
【０１５３】
フランジ付き要素４５は、軸方向に接近した関係で、構築ドラム１１のそれぞれの半体１１ａに取り外し可能に固定され、構築ドラム１１に担持されたそれぞれの環状固定構造体５に対接して作用するように設計された少なくとも１つの封止リング４７を担持している。
【０１５４】
より詳細には、有利にも、それぞれ同心で直径が異なる複数の封止リング４７を各保持部材４３に連結することができる。したがって、有利にも、様々な取付径を有する様々なタイヤを加工するのに、同じ保持部材４３を使用することが可能である。
【０１５５】
保持部材４３は、フランジ付き要素４５に動作可能に担持された固定装置４９によって、構築ドラム１１のそれぞれの連結部材４８に取り外し可能に連結することができる。この固定装置４９は、案内スリーブ４６を含むのが好ましく、かかる案内スリーブ４６は、それぞれの連結部材４８にスライド可能に係合し、ブレーキ５１と一体化される。
【０１５６】
このために、各ブレーキ５１は、加圧チャンバ５２を含むのが好ましく、かかる加圧チャンバ５２は、案内スリーブ５０の内部に形成され、半径方向に変形可能なロックカラー５３を囲む。例えば、弾性変形可能な材料からなる薄膜の形態で作製され、かつ／または円周方向に分散されて半径方向に移動可能な要素を含むロックカラー５３は、案内スリーブ５０の内部に半径方向に面し、連結部材４８のまわりに同軸に取り付けることができる。少なくとも１つのねじ付き部材５４は、案内スリーブ５０を貫通して動作可能にかつ封止して係合し、加圧チャンバ５２の内部に配置された端部部分を有する。
【０１５７】
例えば、移動可能な構造体４６に担持された回転アクチュエータからなる駆動装置５５は、ねじ付き要素５４に動作可能に連結されて、フランジ付き要素４５がそれぞれの連結部材４８に係合された後、ねじ付き要素を回転駆動することができる。
【０１５８】
保持部材がそれぞれの連結部材４８上にそれぞれ取り付けられ、それぞれの封止リング４７の１つをカーカススリーブ１２の環状固定構造体５に対接させるまで軸方向に移動されると、必要に応じて、保持部材４３を構築ドラム１１に対して軸方向に安定して固定するために、心棒３１ａおよび／または心押し台３１ｂによって構築ドラム１１を角回転させることで、ねじ付き部材５４とそれぞれのアクチュエータとを軸方向に整列させ、ブレーキ５１を機能させるべく、ブレーキ５１を機能させるためのねじ付き部材５４の角度位置を容易に制御することができる。
【０１５９】
各封止リング４７は、封止リング４７自体の半径方向外側の円錐台状の面４７ａでそれぞれの環状固定構造体５に対接して作用するのが好ましい。したがって、封止リング４７は、環状固定構造体５のまわりに折り返された１つまたは複数のカーカスプライ３に対して押し力作用を及ぼすことができ、この押し力作用は、前記環状固定構造体５の半径方向内側の円周方向縁部に沿って集中する。前記押し力作用は、成形ステップ時に伝わった応力の効果による、１つまたは複数のカーカスプライ３を形成するコードの望ましくないクリープを、回避するのに特に適していると考えられる。
【０１６０】
同時に、好ましくは、連続する円周方向伸長部を有する封止リング４７は、環状固定構造体５でカーカススリーブ１２を密封するように機能して、カーカススリーブの半径方向の拡張と、成形ステップ後の拡張した状態の維持とを容易にする。
【０１６１】
本出願人は、一方で、封止リング４７が及ぼす押し力作用が、未処理のエラストマー材料の典型的な降伏のために、成形ステップ中に弱まることがあるとさらに気付いた。
【０１６２】
したがって、各保持部材４３は、それぞれの環状固定構造体５に対接して作用する封止リング４７が、カーカススリーブ１２の成形ステップ全体にわたって、環状固定構造体に押し当たった関係で維持されるのを可能にするために、それぞれのフランジ付き要素４５と封止リング４７との間で動作する押し付け装置５６をさらに含まなければならないことを条件とするのが好ましい。このようにして、環状固定構造体５のまわりに折り返された１つまたは複数のカーカスプライ３のコードに対するクリープ現象の発生が、ビード部６に近接して配置されたエラストマー材料が塑性降伏した場合でも回避される。
【０１６３】
好ましい実施形態によれば、押し付け装置５６は、少なくとも１つの押し付けリング４９を含み、かかる押し付けリング４９は、フランジ付き要素４５とスライド可能に係合し、封止リング４７に向かって軸方向に移動可能である。
【０１６４】
より詳細には、それぞれが封止リング４７の１つに対応する複数の押し付けリング５７が設けられるのが好ましい。各封止リング４７は、それぞれの押し付けリング５７の軸方向移動の効果により、半径方向に拡張可能である。この半径方向の拡張を容易にするために、各封止リング４７は、押し付けリング５７の円周方向縁部に対向して、半径方向の拡張を容易にする、半径方向内側の円錐台状の面４７ｂを有することができる。
【０１６５】
有利にも、フランジ４５内で軸方向に案内され、円周方向に分散された流体作動式アクチュエータ５９によって押される、単一のコマンドリング５８は、それぞれの戻しスプリング６０の作用に打ち勝って、それぞれの保持部材４３に関連するすべての押し付けリング５７に同時に作用することができる。一方、押し力作用は、環状固定構造体５に当接して機能している封止リング４７のみに作用する。
【０１６６】
好ましくは、少なくとも３つの流体作動式アクチュエータ５９が設けられ、そのアクチュエータは、移動可能な構造体４６に固定され、押し付けリング５７の反対側円形面５８ａ（a radial counter-surface 58a）に対接するそれぞれのスライドシュー６１を用いて軸方向に作用する。各スライドシュー６１は、構築ドラム１１の回転軸に対して半径方向に離れた軸に沿って流体作動式アクチュエータ５９によって回転可能に支持された、少なくとも１つのローラを含むことができる。
【０１６７】
結論として、成形ステップ全体にわたって、それぞれの連結部材４８にかかるブレーキ５１の作用は、保持部材４３の安定した位置決めを保証し、カーカススリーブ１２内に発生した膨張圧力の効果によって、保持部材を軸方向に構築ドラム１１から遠ざけようとする重大な応力を、効率的に阻止する。同時に、押し付け装置５６は、エラストマー材料が塑性降伏した場合でも、ブレーキ５１が軸方向にロックしているのにもかかわらず、封止リング４７が環状固定構造体５に押し当たった関係で絶えず維持されることを保証する。
【０１６８】
さらに、構築ドラム１１に対して半径方向に移動可能な転圧装置６２を組立ステーション１６に連結することもできる。把持ユニット３６を組立済みのタイヤから解放した後、処理対象のタイヤが、心棒３１ａに連結されたモータ（図示せず）によって回転駆動されている間に、転圧装置６２は、公知の態様で、トレッドバンド８、およびサイドウオール９の少なくとも一部の上で転圧動作を実行し、外側スリーブ１５がカーカススリーブ１２に確実に付着するのを保証する。心押し台３１ｂも、駆動キー３３による構築ドラム１１の回転調整を手助けするために、それぞれのモータによって回転駆動することができる。
【０１６９】
転圧ステップが完了すると、保持部材４３を構築ドラム１１から外すことができるように、ブレーキ５１の作用を停止させることができる。
【０１７０】
ブレーキ５１の効果によって、保持部材４３が構築ドラム１１に対して安定して固定されている限り、ねじ付き部材５４の角度位置と、心押し台３１ｂにある駆動キーおよび／または心棒３１ａに担持された同様の装置の角度位置との間に一義的な関係がある。この関係を利用して、ねじ付き部材５４がそれぞれの駆動装置５５と一列に整列したときに構築ドラム１１の回転を止めることができ、さらに、加工作業の終わりに構築ドラム１１の回転が止められたときに、確実にブレーキ５１の作用を停止させ、保持部材を軸方向に構築ドラムから遠ざけるようにすることができる。
【０１７１】
有利にも、新たな作業サイクルの開始時に、ねじ付き部材５４は、すでにそれぞれの駆動装置５５と一列に整列していることになる。
【０１７２】
構築が完了すると、構築ドラム１１のセクタは、取り出し運搬装置６３が作動すると同時に、内方に向かって半径方向に縮小して、構築ドラム１１からタイヤ２を取り出すことができるようにし、タイヤは、取り出し運搬装置によって組立ステーション１６から遠ざけられ、加硫ステーション、および／または生産サイクルに用意された他の加工ステーションに移送される。取り出し運搬装置６３は、少なくとも２軸で、すなわち、構築ドラム１１の幾何学軸Ｘ−Ｘに対して半径方向および平行な方向に移動可能な、Ｕ字形状の構造体６４を含むのが好ましい。Ｕ字形状の構造体６４は、構築ドラム１１に接近するように半径方向に移動させることにより、組立済みのタイヤを囲んで配置されて、例えば、半径方向に移動可能な補助プレート６５を用いて、その外側面でタイヤと係合する。次いで、Ｕ字形状の構造体６４は、タイヤを軸方向に構築ドラムから取り出すために、構築ドラム１１の回転軸に対して平行に移動される。Ｕ字形状の構造体６４の次の移動により、タイヤ２は組立ステーション１６から遠ざけられる。構築したタイヤ２を遠ざけた直後に、心棒３１ａと心押し台３１ｂとの間に補助ドラムを軸方向に整列させて導入することで、新たな加工サイクルを始めることができる。
【図１】
2011518058.tif 000003
【図２】
2011518058.tif 000004
【図３】
2011518058.tif 000005
【図４】
2011518058.tif 000006
【図５】
2011518058.tif 000007
【国際調査報告】
2011518058.tif 000008
2011518058.tif 000009
2011518058.tif 000010